(57)【要約】【課題】過去の操作の順番を考慮することなく複数の設定項目を並べて表示する場合と比較して、複数の設定項目の設定値を変更したり、確認したりする操作の煩雑さを軽減することができる情報処理装置、画像形成装置、及びプログラムを提供する。【解決手段】画像形成装置１０Ａは、複数の設定項目に対する一連の操作の順番を示す操作順情報を記憶する記憶部１４と、記憶部１４に記憶された操作順情報に従って並べられた複数の設定項目を示す項目情報を、複数の設定項目の表示対象となる装置に提供する提供部３０と、を備える。【選択図】図１
2018047658.tif 000002
【特許請求の範囲】
【請求項１】
複数の設定項目に対する一連の操作の順番を示す操作順情報を記憶する記憶部と、
前記記憶部に記憶された前記操作順情報に従って並べられた前記複数の設定項目を示す項目情報を、前記複数の設定項目の表示対象となる装置に提供する提供部と、
を備えた情報処理装置。
【請求項２】
前記項目情報で示される前記複数の設定項目は、前記操作順情報で示される操作の順番が１番目となる設定項目を先頭にして並べられている請求項１に記載の情報処理装置。
【請求項３】
前記複数の設定項目の各々は、設定値を設定する項目であり、
前記一連の操作は、前記複数の設定項目の各々の設定値を確認する操作を含む請求項１又は２に記載の情報処理装置。
【請求項４】
前記複数の設定項目の各々は、設定値を設定する項目であり、
前記一連の操作は、前記複数の設定項目の各々の設定値を確認後変更する操作を含む請求項１〜３のいずれか１項に記載の情報処理装置。
【請求項５】
前記提供部は、前記一連の操作で未操作の設定項目の設定値が前記一連の操作の後に変更された場合、前記未操作の設定項目の表示の順番を更新した前記項目情報を、前記表示対象となる装置に提供する請求項４に記載の情報処理装置。
【請求項６】
前記記憶部は、さらに、前記操作順情報に対応させた操作の頻度を示す頻度情報を記憶し、
前記提供部は、前記操作順情報により示される順番に前記頻度情報を用いて重み付けを行う請求項１〜５のいずれか１項に記載の情報処理装置。
【請求項７】
前記表示対象となる装置は、自装置が備える表示装置である請求項１〜６のいずれか１項に記載の情報処理装置。
【請求項８】
前記表示対象となる装置は、自装置とは別体で構成された端末装置が備える表示装置である請求項１〜６のいずれか１項に記載の情報処理装置。
【請求項９】
他の情報処理装置とネットワークを介して接続され、
前記項目情報は、前記他の情報処理装置との間で共有される請求項１〜８のいずれか１項に記載の情報処理装置。
【請求項１０】
複数の設定項目に対する一連の操作の順番に対応させた操作の頻度を示す頻度情報を記憶する記憶部と、
前記記憶部に記憶された前記頻度情報により示される頻度の高い順に並べられた前記複数の設定項目を示す項目情報を、前記複数の設定項目の表示対象となる装置に提供する提供部と、
を備えた情報処理装置。
【請求項１１】
各々設定値を設定する複数の設定項目に対する一連の操作の順番を示す操作順情報を記憶する記憶部と、
前記一連の操作により設定された前記複数の設定項目の設定値に基づいて、記録媒体に画像を形成する画像形成部と、
前記記憶部に記憶された前記操作順情報に従って並べられた前記複数の設定項目を示す項目情報を、前記複数の設定項目の表示対象とする装置に提供する提供部と、
を備えた画像形成装置。
【請求項１２】
コンピュータを、請求項１〜１０のいずれか１項に記載の情報処理装置が備える提供部として機能させるためのプログラム。
【発明の詳細な説明】
【技術分野】
【０００１】
本発明は、情報処理装置、画像形成装置、及びプログラムに関する。
【背景技術】
【０００２】
特許文献１には、複数の設定項目からなるユーザインタフェイスを備えた情報処理装置が記載されている。この情報処理装置には、各設定項目について、毎回入力設定するか又は予め指定した既定値を使用するかの入力要・不要情報、既定値を使用する場合における既定値情報、および毎回入力設定する項目の表示順番情報を記憶する記憶装置が設けられている。そして、この情報処理装置は、ユーザインタフェイスの表示に際して、記憶装置に記録された各種情報に基づいてユーザインタフェイスの表示内容と表示順番を決める構成とされている。
【先行技術文献】
【特許文献】
【０００３】
【特許文献１】特開２００７−２４９５１１号公報
【発明の概要】
【発明が解決しようとする課題】
【０００４】
ところで、ユーザが情報処理装置を使用する場合、複数の設定項目の一覧を表示させ、表示された一覧から所望の設定項目の設定値を変更したり、確認したりする操作を行うことがある。また、この一覧での複数の設定項目の表示順は、工場出荷時等に予め定められており、変更できないことが多い。一方、ユーザが操作する設定項目はある程度限られているが、上記のように表示順を変更できないことが多く、ユーザはその都度一覧から所望の設定項目を探し出し、設定項目の設定値を変更したり、確認したりする煩雑な操作を行わなければならない。
【０００５】
本発明は、過去の操作の順番を考慮することなく複数の設定項目を並べて表示する場合と比較して、複数の設定項目の設定値を変更したり、確認したりする操作の煩雑さを軽減することができる情報処理装置、画像形成装置、及びプログラムを提供することを目的とする。
【課題を解決するための手段】
【０００６】
上記目的を達成するために、請求項１に記載の情報処理装置は、複数の設定項目に対する一連の操作の順番を示す操作順情報を記憶する記憶部と、前記記憶部に記憶された前記操作順情報に従って並べられた前記複数の設定項目を示す項目情報を、前記複数の設定項目の表示対象となる装置に提供する提供部と、を備えたものである。
【０００７】
また、請求項２に記載の発明は、請求項１に記載の発明において、前記項目情報で示される前記複数の設定項目が、前記操作順情報で示される操作の順番が１番目となる設定項目を先頭にして並べられているものである。
【０００８】
また、請求項３に記載の発明は、請求項１又は２に記載の発明において、前記複数の設定項目の各々が、設定値を設定する項目であり、前記一連の操作が、前記複数の設定項目の各々の設定値を確認する操作を含むとされている。
【０００９】
また、請求項４に記載の発明は、請求項１〜３のいずれか１項に記載の発明において、前記複数の設定項目の各々が、設定値を設定する項目であり、前記一連の操作が、前記複数の設定項目の各々の設定値を確認後変更する操作を含むとされている。
【００１０】
また、請求項５に記載の発明は、請求項４に記載の発明において、前記提供部が、前記一連の操作で未操作の設定項目の設定値が前記一連の操作の後に変更された場合、前記未操作の設定項目の表示の順番を更新した前記項目情報を、前記表示対象となる装置に提供するものである。
【００１１】
また、請求項６に記載の発明は、請求項１〜５のいずれか１項に記載の発明において、前記記憶部が、さらに、前記操作順情報に対応させた操作の頻度を示す頻度情報を記憶し、前記提供部が、前記操作順情報により示される順番に前記頻度情報を用いて重み付けを行うものである。
【００１２】
また、請求項７に記載の発明は、請求項１〜６のいずれか１項に記載の発明において、前記表示対象となる装置が、自装置が備える表示装置とされている。
【００１３】
また、請求項８に記載の発明は、請求項１〜６のいずれか１項に記載の発明において、前記表示対象となる装置が、自装置とは別体で構成された端末装置が備える表示装置とされている。
【００１４】
また、請求項９に記載の発明は、請求項１〜８のいずれか１項に記載の発明において、他の情報処理装置とネットワークを介して接続され、前記項目情報が、前記他の情報処理装置との間で共有されるものである。
【００１５】
一方、上記目的を達成するために、請求項１０に記載の情報処理装置は、複数の設定項目に対する一連の操作の順番に対応させた操作の頻度を示す頻度情報を記憶する記憶部と、前記記憶部に記憶された前記頻度情報により示される頻度の高い順に並べられた前記複数の設定項目を示す項目情報を、前記複数の設定項目の表示対象となる装置に提供する提供部と、を備えたものである。
【００１６】
また、上記目的を達成するために、請求項１１に記載の画像形成装置は、各々設定値を設定する複数の設定項目に対する一連の操作の順番を示す操作順情報を記憶する記憶部と、前記一連の操作により設定された前記複数の設定項目の設定値に基づいて、記録媒体に画像を形成する画像形成部と、前記記憶部に記憶された前記操作順情報に従って並べられた前記複数の設定項目を示す項目情報を、前記複数の設定項目の表示対象とする装置に提供する提供部と、を備えたものである。
【００１７】
さらに、上記目的を達成するために、請求項１２に記載のプログラムは、コンピュータを、請求項１〜１０のいずれか１項に記載の情報処理装置が備える提供部として機能させるものである。
【発明の効果】
【００１８】
請求項１、請求項１０、請求項１１、及び請求項１２に係る発明によれば、過去の操作の順番、又は、過去の操作の順番に対応させた操作の頻度を考慮することなく複数の設定項目を並べて表示する場合と比較して、複数の設定項目の設定値を変更したり、確認したりする操作の煩雑さを軽減することができる。
【００１９】
請求項２に係る発明によれば、過去の操作の順番が１番目となる設定項目を先頭にしないで複数の設定項目を表示する場合と比較して、複数の設定項目の設定値を変更したり、確認したりする作業の操作性をより向上することができる。
【００２０】
請求項３に係る発明によれば、ユーザが設定項目の設定値を確認する操作の煩雑さをより軽減することができる。
【００２１】
請求項４に係る発明によれば、ユーザが設定項目の設定値を確認後変更する操作の煩雑さをより軽減することができる。
【００２２】
請求項５に係る発明によれば、設定項目の設定値を変更する操作の煩雑さをより軽減することができる。
【００２３】
請求項６に係る発明によれば、複数の設定項目を、ユーザがより操作し易い表示順で表示させることができる。
【００２４】
請求項７に係る発明によれば、ユーザが自装置から直接、複数の設定項目の設定値を変更、確認する操作の煩雑さを軽減することができる。
【００２５】
請求項８に係る発明によれば、ユーザが端末装置を介して、複数の設定項目の設定値を変更、確認する操作の煩雑さを軽減することができる。
【００２６】
請求項９に係る発明によれば、ユーザは他の情報処理装置でも違和感なく複数の設定項目を操作することができる。
【図面の簡単な説明】
【００２７】
【図１】実施形態に係る画像形成装置、端末装置、及びサーバ装置を含むネットワークシステムの構成の一例を示すブロック図である。
【図２】実施形態に係る設定テーブルの一例を示す模式図である。
【図３】第１の実施形態に係る提供処理プログラムの処理の流れの一例を示すフローチャートである。
【図４】実施形態に係るメニュー画面の一例を示す正面図である。
【図５】実施形態に係る設定項目リスト画面の一例を示す正面図である。
【図６】実施形態に係るカラーモード設定画面の一例を示す正面図である。
【図７】第１の実施形態に係る操作順テーブルの一例を示す模式図である。
【図８】第１の実施形態に係る設定テーブルの一例を示す模式図である。
【図９】第１の実施形態に係る設定項目リスト画面の一例を示す正面図である。
【図１０】第１の実施形態に係る割込処理プログラムの処理の流れの一例を示すフローチャートである。
【図１１】第１の実施形態に係る更新後の設定項目リスト画面の一例を示す正面図である。
【図１２】第２の実施形態に係る提供処理プログラムの処理の流れの一例を示すフローチャートである。
【図１３】第２の実施形態に係る頻度テーブルの一例を示す模式図である。
【図１４】第２の実施形態に係る項目情報の一例を示す模式図である。
【図１５】第２の実施形態に係る頻度テーブルの他の例を示す模式図である。
【図１６】第２の実施形態に係る項目情報の他の例を示す模式図である。
【図１７】第３の実施形態に係る表示順除外項目テーブルの一例を示す模式図である。
【図１８】第４の実施形態に係る複数の画像形成装置の各々における表示順情報の一例を示す模式図である。
【図１９】第５の実施形態に係る複数の画像形成装置及びサーバ装置の構成の一例を示す模式図である。
【発明を実施するための形態】
【００２８】
以下、図面を参照して、本発明を実施するための形態の一例について詳細に説明する。
【００２９】
[第１の実施形態]
図１は、本実施形態に係る画像形成装置１０Ａ〜１０Ｃ、端末装置４０、及びサーバ装置６０を含むネットワークシステムの構成の一例を示すブロック図である。
図１に示すように、本実施形態に係る画像形成装置１０Ａは、制御部１２と、記憶部１４と、表示部１６と、操作部１８と、画像形成部２０と、原稿読取部２２と、通信部２４と、を備える。画像形成装置１０Ａは、情報処理装置の一例である。他の画像形成装置１０Ｂ、１０Ｃの構成についても画像形成装置１０Ａと同様である。本実施形態では、３台の画像形成装置１０Ａ〜１０Ｃを例示しているが、３台に限定されるものではない。
【００３０】
制御部１２は、ＣＰＵ(Central Processing Unit)１２Ａ、ＲＯＭ(Read Only Memory)１２Ｂ、ＲＡＭ(Random Access Memory)１２Ｃ、及び入出力インターフェース（Ｉ／Ｏ）１２Ｄを備えており、これら各部がバスを介して各々接続されている。
【００３１】
Ｉ／Ｏ１２Ｄには、記憶部１４と、表示部１６と、操作部１８と、画像形成部２０と、原稿読取部２２と、通信部２４と、を含む各機能部が接続されている。これらの各機能部は、Ｉ／Ｏ１２Ｄを介して、ＣＰＵ１２Ａと相互に通信可能とされる。
【００３２】
制御部１２は、画像形成装置１０Ａの全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００３３】
記憶部１４としては、例えば、ＨＤＤ(Hard Disk Drive)、ＳＳＤ(Solid State Drive)、フラッシュメモリ等が用いられる。記憶部１４には、提供処理プログラム１４Ａが記憶される。なお、この提供処理プログラム１４Ａは、ＲＯＭ１２Ｂに記憶されていてもよい。
【００３４】
提供処理プログラム１４Ａは、例えば、画像形成装置１０Ａに予めインストールされていてもよい。提供処理プログラム１４Ａは、不揮発性の記憶媒体に記憶して、又はネットワークを介して配布して、画像形成装置１０Ａに適宜インストールすることで実現してもよい。なお、不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００３５】
また、記憶部１４には、一例として図２に模式的に示す設定テーブル１４Ｂが記憶されている。さらに、記憶部１４には、後述する操作順テーブル１４Ｃ及び頻度テーブル１４Ｄが記憶される。
【００３６】
図２は、本実施形態に係る設定テーブル１４Ｂの一例を示す模式図である。
なお、以下では、画像形成処理の一例であるコピー処理に関する複数の設定項目を例示して説明する。
【００３７】
図２に示すように、本実施形態に係る設定テーブル１４Ｂには、複数の設定項目を示す項目情報ｄａ１と、複数の設定項目の各々に設定される設定値を示す設定値情報ｄａ２と、複数の設定項目の表示順を示す表示順情報ｄａ３と、が記憶される。
【００３８】
項目情報ｄａ１により示される複数の設定項目は、工場出荷時等に予め定められた表示順情報ｄａ３（この例では、１〜１０で示される。）に従って並べられている。この例の場合、複数の設定項目として、コピー処理に関する、「部数」、「原稿サイズ」、「用紙サイズ」、「倍率」、「原稿の種類」、「濃度」、「両面」、「集約」、「わく消し」、「カラーモード」の１０個の項目が含まれる。また、設定値情報ｄａ２は、複数の設定項目の各々について工場出荷時等に予め設定されたデフォルトの設定値を示すものである。
【００３９】
上記の「部数」とは、コピーする部数を設定する項目である。デフォルトとして、「１」が設定されている。また、「原稿サイズ」とは、原稿のサイズを自動的に検知するか否かを設定する項目である。デフォルトとして、「自動」が設定されている。また、「用紙サイズ」とは、コピーする用紙のサイズを設定する項目である。デフォルトとして、「Ａ４」が設定されている。また、「倍率」とは、縮小又は拡大してコピーを行う場合の倍率を設定する項目である。デフォルトとして、「１００％」が設定されている。また、「原稿の種類」とは、原稿の種類が文字であるか画像であるかを設定する項目である。デフォルトとして、「文字」が設定されている。
【００４０】
さらに、「濃度」とは、コピーの濃度を設定する項目である。デフォルトでは、「ふつう」が設定されている。また、「両面」とは、片面から片面にコピー、片面から両面にコピー、両面から両面にコピー、及び両面から片面にコピー、のいずれかを設定する項目である。デフォルトでは、「片面から片面」が設定されている。また、集約とは、複数頁を１頁に集約してコピーするか否かを設定する項目である。デフォルトでは、「しない」に設定されている。また、「わく消し」とは、見開きの原稿等をコピーした場合に周囲にできる黒い枠を消す範囲を設定する項目である。デフォルトでは、「上下左右２ｍｍ」が設定されている。また、「カラーモード」とは、白黒でコピーするかフルカラーでコピーするかを設定する項目である。デフォルトでは、「白黒」に設定されている。
【００４１】
なお、上記の例においては、説明を簡単にするために、いくつかの設定値を、「自動」、「ふつう」、「しない」等の設定状態を用いて表しているが、画像形成装置１０Ａでは、これらの設定状態を数値化して設定値として格納しているものとする。
【００４２】
一方、表示部１６には、例えば、液晶ディスプレイ(ＬＣＤ:Liquid Crystal Display)や有機ＥＬ(Electro Luminescence)ディスプレイ等が用いられる。表示部１６は、タッチパネルを一体的に有している。操作部１８には、テンキーやスタートキー等の各種の操作キーが設けられている。表示部１６及び操作部１８は、画像形成装置１０Ａの利用者（以下、ユーザという。）から各種の指示を受け付ける。この各種の指示には、例えば、原稿の読み取りを開始させる指示や、原稿のコピーを開始させる指示等が含まれる。表示部１６は、ユーザから受け付けた指示に応じて実行された処理の結果や、処理に対する通知等の各種の情報を表示する。
【００４３】
また、表示部１６は、ユーザによる操作に従って、一例として後述する図５に示す設定項目リスト画面を表示させる。設定項目リスト画面とは、例えば、図２に示す設定テーブル１４Ｂに応じて表示される、複数の設定項目の一覧を示す画面である。画像形成装置１０Ａのユーザが、表示部１６に表示された設定項目リスト画面を操作することで、画像形成装置１０Ａに対して設定項目の設定値を変更したり、設定状況を確認したりする操作が可能とされる。
【００４４】
原稿読取部２２は、自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。
【００４５】
画像形成部２０は、原稿読取部２２による読み取りによって得られた画像情報、又は、ネットワークＮを介して接続された外部のＰＣ(Personal Computer)等から得られた画像情報に基づく画像を、紙等の記録媒体に形成する。なお、本実施形態においては、画像を形成する方式として、電子写真方式を例示して説明するが、インクジェット方式等の他の方式を採用してもよい。
【００４６】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００４７】
通信部２４は、ＬＡＮ(Local Area Network)、ＷＡＮ(Wide Area Network)等のネットワークＮに接続されており、端末装置４０とネットワークＮを介して通信する。この例の場合、通信部２４とネットワークＮとは有線で接続されるが、無線で接続してもよい。画像形成装置１０Ａと端末装置４０とは、通信部２４を介してセッション接続される。なお、ここでいうセッションとは、２つの機器間の通信の開始から終了までを管理する１つの単位を示す。セッション接続とは、例えば、ＯＳＩ(Open Systems Interconnection)の７階層モデルの第５層（セッション層）等による機能である。２つの機器間がセッション接続されると、通信に用いるアプリケーションプログラムにより情報の転送が可能な状態となる。
【００４８】
一方、端末装置４０は、ＣＰＵ４２と、メモリ４４と、操作部４６と、表示部４８と、記憶部５０と、通信部５２と、を備える。端末装置４０には、例えば、スマートフォン、タブレット端末、据え置き型のＰＣ等が適用される。
【００４９】
操作部４６には、電源ボタンや各種の操作ボタン等が設けられる。表示部４８には、例えば、液晶ディスプレイ（ＬＣＤ）や有機ＥＬディスプレイ等が用いられる。表示部４８は、タッチパネルを一体的に有している。
【００５０】
通信部５２は、ネットワークＮに接続されており、画像形成装置１０ＡとネットワークＮを介して通信する。この例の場合、通信部５２とネットワークＮとは無線で接続される。端末装置４０の通信部５２と画像形成装置１０Ａの通信部２４とは、アプリケーションプログラム５０Ａによりセッション接続される。
【００５１】
記憶部５０には、画像形成装置１０Ａとセッション接続を行い、画像形成装置１０Ａの遠隔操作を行うためのアプリケーションプログラム５０Ａが記憶される。なお、このアプリケーションプログラム５０Ａは、メモリ４４に記憶されていてもよい。
【００５２】
アプリケーションプログラム５０Ａは、例えば、端末装置４０に予めインストールされていてもよい。アプリケーションプログラム５０Ａは、不揮発性の記憶媒体に記憶して、又はネットワークを介して配布して、端末装置４０に適宜インストールすることで実現してもよい。なお、不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００５３】
ＣＰＵ４２は、ユーザによる操作に従って、記憶部５０に記憶されているアプリケーションプログラム５０Ａを読み出して、実行することにより、画像形成装置１０Ａに関する設定項目リスト画面を表示部４８に表示させる。端末装置４０のユーザが、表示部４８に表示された設定項目リスト画面を操作することで、画像形成装置１０Ａに対して設定項目の設定値を変更したり、設定状況を確認したりする遠隔操作が可能とされる。
【００５４】
サーバ装置６０は、画像形成装置１０Ａ〜１０ＣとネットワークＮを介して接続され、画像形成装置１０Ａ〜１０Ｃの各々と各種の情報のやり取りが可能とされる。サーバ装置６０には、例えば、汎用的なＰＣ等が適用される。
【００５５】
以下の説明では、画像形成装置１０Ａ〜１０Ｃを代表して、単に画像形成装置１０と表す場合がある。
【００５６】
ユーザが画像形成装置１０を直接又は端末装置４０を介して使用する場合、設定項目リスト画面を表示させ、所望の設定項目の設定値を変更したり、設定状況を確認したりする操作を行うことがある。また、設定項目リスト画面での複数の設定項目の表示順は、工場出荷時等に予め定められており、変更できないことが多い。一方、ユーザが操作する設定項目はある程度限られているが、上記のように表示順を変更できないことが多く、ユーザはその都度設定項目リスト画面から所望の設定項目を探し出し、設定項目の設定値を変更あるいは確認する煩雑な操作を行わなければならない。
【００５７】
これに対して、本第１の実施形態に係る記憶部１４は、複数の設定項目に対する一連の操作の順番を示す操作順情報を記憶する。また、本第１の実施形態に係るＣＰＵ１２Ａは、記憶部１４に記憶されている提供処理プログラム１４ＡをＲＡＭ１２Ｃに書き込んで実行することにより、本第１の実施形態に係る提供部３０として機能する。提供部３０は、記憶部１４に記憶された操作順情報に従って並べられた複数の設定項目を示す項目情報を、複数の設定項目の表示対象となる装置に提供する。これらの操作順情報及び項目情報については後述する。なお、本実施形態においては、表示対象となる装置として、画像形成装置１０が備える表示部１６、又は、端末装置４０が備える表示部４８が適用される。表示部１６及び表示部４８の各々は、表示装置の一例である。
【００５８】
上記の項目情報で示される複数の設定項目は、例えば、操作順情報で示される操作の順番が１番目となる設定項目を先頭にして並べられる。すなわち、ユーザによる複数の設定項目の操作順が、設定項目リスト画面における複数の設定項目の表示順に反映される。この表示順に反映することで、ユーザは設定項目リスト画面から所望の設定項目を容易に探し出せる。この結果、設定項目の設定値を変更したり、確認したりする操作の煩雑さが軽減される。
【００５９】
次に、図３を参照して、本第１の実施形態に係る画像形成装置１０の作用を説明する。なお、図３は、第１の実施形態に係る提供処理プログラム１４Ａの処理の流れの一例を示すフローチャートである。
ＣＰＵ１２Ａは、ユーザによる操作に従って、設定項目リスト画面を表示させる機能を選択するためのメニュー画面の表示が指示されると、記憶部１４に記憶されている提供処理プログラム１４ＡをＲＡＭ１２Ｃに書き込んで実行し、提供部３０として機能する。
【００６０】
なお、本例では、表示部１６に設定項目リスト画面を表示させて画像形成装置１０を直接操作する場合を例に説明するが、端末装置４０に設定項目リスト画面を表示させて画像形成装置１０を遠隔操作する場合についても同様の処理が可能とされる。
【００６１】
まず、図３のステップ１００では、提供部３０が、ユーザによる表示部１６（タッチパネル）又は操作部１８からの操作に従って、メニュー画面を表示部１６に表示させる。ここでは、一例として図４に示すメニュー画面７０を表示させる。
【００６２】
図４は、本実施形態に係るメニュー画面７０の一例を示す正面図である。
図４に示すように、メニュー画面７０には、コピー、プリント等の機能毎に、コピー設定ボタン７０Ａ、プリント設定ボタン７０Ｂ、ＦＡＸ（ファクシミリ）設定ボタン７０Ｃ、メール設定ボタン７０Ｄ、…が含まれる。
【００６３】
次に、ステップ１０２では、提供部３０が、メニュー画面から機能が指定されたか否かを判定する。機能が指定された場合（肯定判定の場合）、ステップ１０４に移行し、機能が指定されない場合（否定判定の場合）、ステップ１０２で待機状態となる。
【００６４】
ステップ１０４では、提供部３０が、指定された機能の設定項目リスト画面を表示部１６に表示させる。ここでは、一例としてユーザがメニュー画面７０のコピー設定ボタン７０Ａを押圧して指定すると、一例として図５に示すコピー処理に関する設定項目リスト画面７２Ａが表示部１６に表示される。
【００６５】
図５は、本実施形態に係る設定項目リスト画面７２Ａの一例を示す正面図である。
図５に示すように、設定項目リスト画面７２Ａは、コピー処理に関する複数の設定項目を一覧表示したものである。設定項目リスト画面７２Ａでは、これら複数の設定項目の各々について現在有効な設定値が表示されている。設定項目リスト画面７２Ａにおける複数の設定項目は、図２に示す設定テーブル１４Ｂの項目情報ｄａ１に対応する。また、設定項目リスト画面７２Ａにおける設定値は、図２に示す設定テーブル１４Ｂの設定値情報ｄａ２に対応する。つまり、図５に示す設定項目リスト画面７２Ａは、デフォルトの画面であり、図２に示す設定テーブル１４Ｂの項目情報ｄａ１及び設定値情報ｄａ２に基づいて表示される画面である。なお、設定値情報ｄａ２は必ずしも表示させなくてもよい。また、設定終了ボタン７３は、複数の設定項目に対する一連の操作を終了させる場合に押下するボタンであり、処理終了ボタン７５は、指定機能（例えば、コピー機能）の処理を終了させる場合に押下するボタンである。
【００６６】
次に、ステップ１０６では、提供部３０が、ユーザにより設定項目リスト画面に含まれる設定項目が操作されたか否かを判定する。設定項目が操作されたと判定した場合（肯定判定の場合）、ステップ１０８に移行し、設定項目が操作されていないと判定した場合（否定判定の場合）、ステップ１０６で待機状態となる。
【００６７】
ステップ１０８では、提供部３０が、ユーザにより操作された設定項目の設定値が変更されたか否かを判定する。設定値が変更されたと判定した場合（肯定判定の場合）、ステップ１１０に移行し、設定値が変更されていないと判定した場合（否定判定の場合）、ステップ１１２に移行する。なお、設定値が変更されたか否かの判定は、例えば、設定項目に対応する設定画面での操作内容に基づいて行われる。
【００６８】
例えば、ユーザは、一例として図５に示す設定項目リスト画面７２Ａに含まれる複数の設定項目のうち、最初に「カラーモード」を示す設定項目（以下、カラーモード７４）を押圧する操作を行う。この押圧操作により、一例として図６に示すカラーモード設定画面８０が表示部１６に表示される。
【００６９】
図６は、本実施形態に係るカラーモード設定画面８０の一例を示す正面図である。
図６に示すように、カラーモード設定画面８０には、白黒モードを指定する白黒ボタン８０Ａと、フルカラーモードを指定するフルカラーボタン８０Ｂと、が選択可能に表示される。図５に示す設定項目リスト画面７２Ａでは、白黒ボタン８０Ａに対応する白黒モードが指定されていた。これに対して、ユーザはカラーモード設定画面８０にてフルカラーボタン８０Ｂを押圧して選択し、終了ボタン８０Ｃを押圧する操作を行う。この押圧操作により、カラーモード７４は、フルカラーボタン８０Ｂに対応するフルカラーモードに変更される。なお、ユーザがフルカラーボタン８０Ｂを押圧して選択し、キャンセルボタン８０Ｄを押圧する操作が行われた場合には、カラーモード７４は、白黒モードのまま変更されることはない。
【００７０】
次に、ステップ１１０では、提供部３０が、設定値を更新する。ここでは、一例として、カラーモード７４の設定値が「白黒」から「フルカラー」に変更されているため、カラーモード７４の設定値を「フルカラー」に更新する。この場合、設定項目リスト画面７２Ａにおける設定値の表示も更新する。
【００７１】
ステップ１１２では、提供部３０が、ユーザにより操作された設定項目の操作順を示す操作順情報を記憶部１４に記憶する。ここでは、一例として、最初に操作された設定項目であるカラーモード７４が１番目として記憶される。
【００７２】
次に、ステップ１１４では、設定項目の設定処理が終了したか否かを判定する。設定項目の設定処理が終了したと判定した場合（肯定判定の場合）、ステップ１１６に移行し、設定項目の設定処理が終了していないと判定した場合（否定判定の場合）、ステップ１０６に戻り処理を繰り返す。設定項目の設定処理が終了したか否かの判定は、例えば、図５に示す設定終了ボタン７３が押圧されたか否かを判定すればよい。なお、設定終了ボタン７３が押圧された場合、図５に示す設定項目リスト画面７２Ａは継続して表示される。ここでは、一例として、図５に示す設定項目リスト画面７２Ａから、「原稿の種類」を示す設定項目（以下、原稿の種類７６）が次に操作され、「わく消し」を示す設定項目（以下、わく消し７８）がさらに次に操作される。以上の操作内容に基づいて一例として図７に示す操作順テーブル１４Ｃが記憶部１４に記憶される。
【００７３】
図７は、第１の実施形態に係る操作順テーブル１４Ｃの一例を示す模式図である。
図７に示すように、第１の実施形態に係る操作順テーブル１４Ｃには、操作順情報ｄａ４、項目情報ｄａ１、及び設定値情報ｄａ２が記憶される。操作順情報ｄａ４は、カラーモード７４の操作順が１番目、原稿の種類７６の操作順が２番目、わく消し７８の操作順が３番目であることを示す情報である。なお、わく消し７８は、設定値が変更されておらず、確認のみの操作であるが、確認のみの操作も一連の操作の操作順としてカウントすることが望ましい。本第１の実施形態に係る一連の操作には、わく消し７８のように設定項目の設定値を確認する操作と、カラーモード７４及び原稿の種類７６のように設定項目の設定値を確認後変更する操作と、が含まれる。
【００７４】
次に、ステップ１１６では、提供部３０が、上記の設定項目で設定された設定値に基づいて、指定機能に関する処理を実行するように各機能部に指示する。一例として、ユーザにより操作部１８のコピー開始ボタンを押圧する操作が行われた場合、コピー処理の実行を指示する。なお、一連の操作が実行される前にリセット等された場合、リセット等されるまでの操作順情報ｄａ４を破棄してもよい。この場合、項目情報ｄａ１における複数の設定項目の表示順はデフォルトのまま維持される。
【００７５】
次に、ステップ１１８では、提供部３０が、操作順テーブル１４Ｃに記憶された操作順情報ｄａ４に従って、項目情報ｄａ１により示される設定項目リストの表示順を更新し、更新後の設定項目リストを表示部１６に提供して表示させ、処理を終了する。なお、設定項目リストの表示順の更新のみを行い、表示部１６に表示させずに処理を終了させてもよい。ここでは、一例として図８に示す更新後の設定テーブル１４Ｂについて説明する。
【００７６】
図８は、第１の実施形態に係る設定テーブル１４Ｂの一例を示す模式図である。
図８に示すように、項目情報ｄａ１では、図７に示す操作順情報ｄａ４に従って、操作順が１番目のカラーモード７４が先頭となり、操作順が２番目の原稿の種類７６の表示順が２番目、操作順が３番目のわく消し７８の表示順が３番目となる。表示順が４番目以降の設定項目については、前回までの表示順（図２を参照）に従って並べられる。ここでいう先頭とは、複数の設定項目を一覧にした場合に先頭であることを意味する。項目情報ｄａ１の並べ替えの処理は、提供部３０が行う。なお、表示順情報ｄａ３における括弧内の番号は、図２に示す表示順情報ｄａ３の番号を表す。図８に示す項目情報ｄａ１及び設定値情報ｄａ２は、一例として図９に示す設定項目リスト画面７２Ｂとして表示部１６に表示される。
【００７７】
図９は、第１の実施形態に係る設定項目リスト画面７２Ｂの一例を示す正面図である。
図９に示すように、設定項目リスト画面７２Ｂは、図８に示す項目情報ｄａ１及び設定値情報ｄａ２に応じて表示部１６に表示される画面である。設定項目リスト画面７２Ｂは、図５に示す設定項目リスト画面７２Ａに対して、一部の設定項目の設定値が変更され、さらに、操作順情報ｄａ４に従って複数の設定項目の表示順が変更されている。一例として、カラーモード７４及び原稿の種類７６の各々の設定値が変更されている。また、操作順が１番目のカラーモード７４が上から１番目に表示され、操作順が２番目の原稿の種類７６が２番目に表示され、さらに、操作順が３番目のわく消し７８が３番目に表示される。なお、複数の設定項目の表示方向は、上下方向に限らず、左右方向、斜め方向としてもよい。また、表示順が変更された設定項目は、ユーザが一見して分かるように、色を付けて表示させる、白黒反転して表示させる、マークを付与して表示させる、等の方法により表示を行ってもよい。
【００７８】
ところで、上記の項目情報ｄａ１は、表示部１６に提供するために、複数の設定項目が操作順情報ｄａ４に従って並べ替えられている。これに対して、端末装置４０に項目情報ｄａ１を提供する場合、デフォルトの項目情報ｄａ１と、表示順情報ｄａ３と、を端末装置４０に提供し、項目情報ｄａ１の並び替えを端末装置４０の側で行うようにしてもよい。
【００７９】
以上の一連の処理により得られた設定テーブル１４Ｂ（図８を参照）は、記憶部１４に記憶される。そして、次回起動時に、提供部３０により、設定テーブル１４Ｂに記憶されている項目情報ｄａ１及び設定値情報ｄａ２が表示部１６に提供され、表示部１６がこれらの情報を設定項目リスト画面７２Ｂとして表示する。
【００８０】
図１０は、第１の実施形態に係る割込処理プログラムの処理の流れの一例を示すフローチャートである。本処理は、図３で説明したフローチャートの割り込み処理として、実行される。なお、本割込処理プログラムの図示は省略するが、本割込処理プログラムは、記憶部１４に予め記憶されているものとする。本割込処理プログラムを実行することにより、ＣＰＵ１２Ａが提供部３０として機能する。提供部３０は、上述の一連の操作で未操作の設定項目の設定値が一連の操作の後に変更された場合、未操作の設定項目の表示の順番を更新した項目情報ｄａ１（及び設定値情報ｄａ２）を、表示部１６に提供する。
【００８１】
ここでは、一例として図９に示す設定項目リスト画面７２Ｂが継続して表示されている状態で、未操作の設定項目の設定値が変更された場合の処理について説明する。なお、ここでいう未操作の設定項目とは、設定項目リスト画面７２Ｂに含まれる複数の設定項目の中で、変更の操作及び確認の操作が行われていない設定項目を意味する。一例として、直前に操作されたカラーモード７４、原稿の種類７６、及びわく消し７８以外の設定項目が未操作の設定項目となる。
【００８２】
まず、図１０のステップ２００では、提供部３０が、一例として図９に示す設定項目リスト画面７２Ｂから未操作の設定項目の設定値が変更されたか否かを判定する。未操作の設定項目の設定値が変更されたと判定した場合（肯定判定の場合）、ステップ２０２に移行し、未操作の設定項目の設定値が変更されないと判定した場合（否定判定の場合）、処理を終了する。設定値が変更されないことの判定は、一例として図９に示す処理終了ボタン７５の押圧を判定すればよい。あるいは、設定項目リスト画面７２Ｂに対する操作が一定時間ないと判定した場合、処理を終了してもよい。
【００８３】
ステップ２０２では、提供部３０が、設定値を更新する。一例として図９に示す設定項目リスト画面７２Ｂから、「両面」を示す設定項目（以下、両面８２）が操作され、設定値が「片面から片面」から「片面から両面」に変更される。この場合、設定項目リスト画面７２Ｂにおける設定値の表示も更新する。
【００８４】
ステップ２０４では、提供部３０が、直前の操作順に続けて操作順情報ｄａ４を記憶部１４に記憶する。一例としての両面８２の操作順は、例えば、４番目として記憶される。
【００８５】
ステップ２０６では、提供部３０が、変更処理を終了するか否かを判定する。変更処理を終了すると判定した場合（肯定判定の場合）、ステップ２０８に移行し、変更処理を終了しないと判定した場合（否定判定の場合）、ステップ２００に戻り処理を繰り返す。なお、変更処理の終了の判定は、一例として図９に示す処理終了ボタン７５の押圧を判定すればよい。
【００８６】
ステップ２０８では、提供部３０が、操作順情報ｄａ４に従って、項目情報ｄａ１で示される設定項目リストの表示順を更新し、更新後の設定項目リストを表示部１６に提供して表示させる。なお、設定項目リストの表示順の更新のみを行い、表示部１６に表示させずに処理を終了させてもよい。ここでは、一例として図１１に示す更新後の設定項目リスト画面７２Ｃを表示させる。
【００８７】
図１１は、第１の実施形態に係る更新後の設定項目リスト画面７２Ｃの一例を示す正面図である。
図１１に示すように、設定項目リスト画面７２Ｃでは、設定値が変更された両面８２がわく消し７８の次、つまり、４番目に表示されている。なお、両面８２の表示順は、４番目に限らず、最上位、２番目、及び３番目のいずれかに表示してもよい。
【００８８】
本第１の実施形態によれば、ユーザによる複数の設定項目の操作順が、設定項目リスト画面における複数の設定項目の表示順に反映される。表示順に反映することで、ユーザは設定項目リスト画面から所望の設定項目を容易に探し出せる。この結果、設定項目の設定値を変更したり、確認したりする操作の煩雑さが軽減される。
【００８９】
[第２の実施形態]
上記の第１の実施形態では、操作順を示す操作順情報を、設定項目リスト画面における複数の設定項目の表示順に反映させた。これに対して、第２の実施形態では、操作の順番に対応させた操作の頻度を示す頻度情報を、設定項目リスト画面における複数の設定項目の表示順に反映させる。なお、本第２の実施形態に係る画像形成装置１０の構成は、上記の第１の実施形態に係る画像形成装置１０と同様なので、ここでの説明は省略する。
【００９０】
本第２の実施形態に係る記憶部１４は、複数の設定項目に対する一連の操作の順番に対応させた操作の頻度を示す頻度情報を記憶する。そして、提供部３０は、記憶部１４に記憶された頻度情報により示される頻度の高い順に並べられた複数の設定項目を示す項目情報を表示部１６に提供する。
【００９１】
図１２は、第２の実施形態に係る提供処理プログラム１４Ａの処理の流れの一例を示すフローチャートである。
なお、ステップ１００〜１１０、１１４〜１１８については、図３のフローチャートで説明したステップ１００〜１１０、１１４〜１１８と同様であるため、繰り返しの説明は省略する。以下では、ステップ１１３の処理について説明する。
【００９２】
図１２のステップ１１３では、提供部３０が、頻度情報を記憶部１４に記憶する。本第２の実施形態では、一例として図１３に示す頻度テーブル１４Ｄが記憶部１４に記憶される。
【００９３】
図１３は、第２の実施形態に係る頻度テーブル１４Ｄの一例を示す模式図である。
図１３に示すように、本第２の実施形態に係る頻度テーブル１４Ｄには、項目情報ｄａ１、頻度情報ｄａ５、及び表示順情報ｄａ３が記憶される。頻度情報ｄａ５は、上記一連の操作の順番毎に、操作が行われた回数として表される。なお、「操作順毎の頻度」の欄で横方向に並ぶ「１〜１０」の数字は、操作順を示す。
【００９４】
本第２の実施形態に係る提供部３０は、項目情報ｄａ１に含まれる複数の設定項目の各々に対して１〜１０の操作順毎に操作の回数をカウントする。例えば、「部数」の場合、１番目に操作された回数が５回であり、「原稿サイズ」の場合、１番目に操作された回数が８回である。そして、提供部３０は、各操作順について、操作回数が最も多い（頻度の高い）設定項目を判定する。但し、ある操作順で操作回数が最も多くなった設定項目は、他の操作順における判定から除外し、重複を防止する。
【００９５】
図１３の例において、１番目の操作順で操作回数が最も多い設定項目は、８回の「原稿サイズ」と判定される。同様に、２番目の操作順では、５回の「用紙サイズ」と判定される。また、３番目の操作順では、４回の「部数」と判定される。また、４番目の操作順では、７回の「両面」と判定される。また、５番目の操作順では、５回の「倍率」と判定される。また、６番目の操作順では、５回の「原稿の種類」と判定される。また、７番目の操作順では、４回の「濃度」と判定される。また、８番目の操作順では、２回の「わく消し」と判定される。また、９番目の操作順では、３回の「集約」と判定される。また、１０番目の操作順では、３回の「カラーモード」と判定される。
【００９６】
上記の判定結果を踏まえ、表示順情報ｄａ３においては、「部数」の表示順が３番目、「原稿サイズ」の表示順が１番目、「用紙サイズ」の表示順が２番目、「倍率」の表示順が５番目となる。また、「原稿の種類」の表示順が６番目、「濃度」の表示順が７番目、「両面」の表示順が４番目となる。また、「集約」の表示順が９番目、「わく消し」の表示順が８番目、「カラーモード」の表示順が１０番目となる。
【００９７】
図１４は、第２の実施形態に係る項目情報ｄａ１の一例を示す模式図である。
図１４に示すように、項目情報ｄａ１は、図１３に示す頻度情報ｄａ５に基づく表示順情報ｄａ３に従って複数の設定項目の表示順が並べ替えられている。本第２の実施形態に係る提供部３０は、並べ替え後の項目情報ｄａ１及び設定値情報ｄａ２を表示部１６に提供し、提供した項目情報ｄａ１及び設定値情報ｄａ２に対応する設定項目リスト画面を表示部１６に表示させる。
【００９８】
ここで、ユーザによる設定項目の操作が更に継続され、頻度情報ｄａ５で示される操作回数が更に変化する場合について、図１５を参照して説明する。
【００９９】
図１５は、第２の実施形態に係る頻度テーブル１４Ｄの他の例を示す模式図である。
図１５に示すように、「部数」の８番目の操作順における操作回数が０回から３回に変化している。なお、括弧内の数字は、図１１に示す頻度情報ｄａ５での操作回数を意味する。また、「原稿サイズ」の１番目の操作順における操作回数が８回から１０回に変化し、「原稿の種類」の３番目の操作順における操作回数が２回から５回に変化している。
【０１００】
図１５の例の場合、１番目の操作順で操作回数が最も多い設定項目は、１０回の「原稿サイズ」と判定される。同様に、２番目の操作順では、５回の「用紙サイズ」と判定される。また、３番目の操作順では、５回の「原稿の種類」と判定される。また、４番目の操作順では、７回の「両面」と判定される。また、５番目の操作順では、５回の「倍率」と判定される。また、６番目の操作順については、５回の「原稿の種類」が既に判定済みであるため、次点（３点）の「濃度」が操作回数の最も多い設定項目として判定される。また、７番目の操作順についても、「濃度」、「原稿の種類」、及び「両面」は既に判定済みであるため、１点の「カラーモード」が操作回数の最も多い設定項目として判定される。また、８番目の操作順では、３回の「部数」と判定される。また、９番目の操作順では、３回の「集約」と判定される。また、１０番目の操作順についても、「カラーモード」、「濃度」、及び「両面」は既に判定済みであるため、１回の「わく消し」が操作回数の最も多い設定項目として判定される。
【０１０１】
上記の判定結果を踏まえ、表示順情報ｄａ３（表示順（新））においては、「部数」の表示順が８番目、「原稿サイズ」の表示順が１番目、「用紙サイズ」の表示順が２番目、「倍率」の表示順が５番目となる。また、「原稿の種類」の表示順が３番目、「濃度」の表示順が６番目、「両面」の表示順が４番目となる。また、「集約」の表示順が９番目、「わく消し」の表示順が１０番目、「カラーモード」の表示順が７番目となる。なお、本例では、比較のため、図１３に示す表示順情報ｄａ３（表示順（旧））も併せて示している。
【０１０２】
図１６は、第２の実施形態に係る項目情報ｄａ１の他の例を示す模式図である。
図１６に示すように、項目情報ｄａ１は、図１５に示す頻度情報ｄａ５に基づく表示順情報ｄａ３に従って複数の設定項目の表示順が並べ替えられている。なお、括弧内の設定項目は、図１４に示す項目情報ｄａ１で示される設定項目を意味する。この場合も同様に、提供部３０は、並べ替え後の項目情報ｄａ１及び設定値情報ｄａ２を表示部１６に提供し、提供した項目情報ｄａ１及び設定値情報ｄａ２に対応する設定項目リスト画面を表示部１６に表示させる。
【０１０３】
本第２の実施形態によれば、ユーザによる複数の設定項目の操作の順番毎の操作の頻度が、設定項目リスト画面における複数の設定項目の表示順に反映される。表示順に反映することで、ユーザは設定項目リスト画面から所望の設定項目を容易に探し出せる。この結果、設定項目の設定値を変更したり、確認したりする操作の煩雑さが軽減される。
【０１０４】
なお、提供部３０は、頻度情報ｄａ５により重み付けされた操作順情報ｄａ４に従って並べられた項目情報ｄａ１を、表示部１６に提供するようにしてもよい。例えば、複数の設定項目の各々に対して、操作順を以下の式１を用いて重み付けしてもよい。なお、式１において、Ｎａは重み付けした操作順（重み付け操作順）、Ｎは操作順（一例として１〜１０）、Ｈは頻度（操作回数）を示す。
【０１０５】
【数１】
2018047658.tif 000003
…（１）
【０１０６】
例えば、上述の図１３に示す「部数」の例では、
Ｎａ＝（１×１／５）+（２×１／２）+（３×１／４）＝１．９５
と導出される。この重み付け操作順Ｎａが小さい順に表示順を決定してもよい。
【０１０７】
上記の第１、第２の実施形態においては、項目情報ｄａ１を表示部１６に提供する形態について説明したが、項目情報ｄａ１を端末装置４０に提供してもよい。この場合、端末装置４０は、画像形成装置１０から設定項目の情報を取得し、取得した情報に応じて、設定項目リスト画面に表示させる設定項目を変更してもよい。例えば、画像形成装置１０が、設定項目として、「カラーモード」を持たない場合、端末装置４０は、画像形成装置１０の設定項目リスト画面を、「カラーモード」を削除した状態で表示させる。
【０１０８】
[第３の実施形態]
本第３の実施形態では、一部の設定項目を表示順変更の対象から外し、常に設定項目リスト画面の上位に表示させる形態について説明する。
【０１０９】
図１７は、第３の実施形態に係る表示順除外項目テーブル１４Ｅの一例を示す模式図である。
なお、本第３の実施形態に係る表示順除外項目テーブル１４Ｅは、記憶部１４に記憶されているものとする。
【０１１０】
図１７に示すように、表示順除外項目テーブル１４Ｅには、コピー、ファクシミリ、メール、ＰＣ保存、プリント等の設定群毎に除外項目が予め記憶されている。つまり、操作順情報ｄａ４や頻度情報ｄａ５に係らず、これらの除外項目が常に設定項目リスト画面での表示順が上位になるように、項目情報ｄａ１の表示順が決定される。使用頻度の高い設定項目を予め除外しておき、除外した設定項目を常に上位に表示させることで、ユーザは設定項目の設定値の変更や確認の操作をより行い易くなる。
【０１１１】
[第４の実施形態]
本第４の実施形態では、１つの項目情報ｄａ１を、複数の画像形成装置１０Ａ〜１０Ｃで共有する形態について説明する。
【０１１２】
図１８は、第４の実施形態に係る複数の画像形成装置１０Ａ〜１０Ｃの各々における表示順情報ｄａ３の一例を示す模式図である。
なお、本例では、画像形成装置１０Ａ、１０Ｂ、１０Ｃの各々の表示順情報ｄａ３を、それぞれ表示順情報ｄａ３Ａ、ｄａ３Ｂ、ｄａ３Ｃとして区別する。
【０１１３】
図１８に示すように、画像形成装置１０Ａは、表示順情報ｄａ３Ａに従って並べられた項目情報ｄａ１を記憶して有している。そして、この項目情報ｄａ１は、他の画像形成装置１０Ｂ、１０Ｃでも共有される。つまり、設定項目リスト画面での複数の設定項目の表示順は、複数の画像形成装置１０Ａ〜１０Ｃで同一となる。複数の画像形成装置１０Ａ〜１０Ｃの間で１つの項目情報ｄａ１を共有することで、ユーザはどの装置でも違和感なく設定項目の操作を行える。
【０１１４】
ここで、画像形成装置１０Ａ、１０Ｂは、両面読取機能を備えたカラー対応機であり、設定項目として、「両面」及び「カラーモード」を有している。この場合、画像形成装置１０Ａの表示順情報ｄａ３Ａと、画像形成装置１０Ｂの表示順情報ｄａ３Ｂとは同一となる。一方、画像形成装置１０Ｃは、両面読取機能を備えていない白黒（モノクロ）機であり、設定項目として、「両面」及び「カラーモード」を有していない場合について想定する。
【０１１５】
上記の場合、画像形成装置１０Ｃの設定項目リスト画面では、対応してしない設定項目である「両面」及び「カラーモード」を非表示にしてもよい。つまり、図１６に示すように、画像形成装置１０Ｃの項目情報ｄａ１から「両面」及び「カラーモード」を除外し、表示順情報ｄａ３Ｃで示される表示順を繰り上げる。
【０１１６】
本第４の実施形態によれば、複数の画像形成装置が有する能力に応じて、項目情報を決定して設定項目リスト画面に表示させることで、ユーザを混乱させることがなく、ユーザは設定項目の設定値の変更や確認の操作をより行い易くなる。
【０１１７】
[第５の実施形態]
一方、複数の画像形成装置１０Ａ〜１０Ｃによっては、印刷可能な用紙サイズや、原稿サイズの自動検知機能等の能力が異なる場合がある。例えば、原稿サイズの自動検知機能を持たない装置では、規定値と異なるサイズの原稿を読み込ませる場合、設定項目である「原稿サイズ」を操作して原稿のサイズを指定する必要がある。これに対して、自動検知機能を持つ装置では、「原稿サイズ」の設定値を一旦自動に指定しておけば、以後この「原稿サイズ」が操作されることはほとんどないと考えられる。この場合、複数の画像形成装置１０Ａ〜１０Ｃの間で「原稿サイズ」の操作順（及び操作の頻度）に違いが生じてしまう。そこで、本第５の実施形態では、複数の画像形成装置１０Ａ〜１０Ｃの各々が能力に応じた操作順情報ｄａ４を有する形態について説明する。
【０１１８】
図１９は、第５の実施形態に係る複数の画像形成装置１０Ａ〜１０Ｃ及びサーバ装置６０の構成の一例を示す模式図である。なお、本例では、画像形成装置１０Ａ、１０Ｂ、１０Ｃの各々の操作順情報ｄａ４を、それぞれ操作順情報ｄａ４Ａ、ｄａ４Ｂ、ｄａ４Ｃとして区別する。
【０１１９】
図１９の左図に示すように、画像形成装置１０Ａは、自装置の能力に応じた独自の操作順情報ｄａ４Ａを記憶している。そして、画像形成装置１０Ｂも自装置の能力に応じた独自の操作順情報ｄａ４Ｂを記憶しており、画像形成装置１０Ｃも自装置の能力に応じた独自の操作順情報ｄａ４Ｃを記憶している。
【０１２０】
一方、図１９の右図に示すように、サーバ装置６０が、画像形成装置１０Ａの操作順情報ｄａ４Ａと、画像形成装置１０Ｂの操作順情報ｄａ４Ｂと、画像形成装置１０Ｃの操作順情報ｄａ４Ｃと、をまとめて記憶してもよい。この場合、サーバ装置６０は、クラウドストレージとして機能する。
【０１２１】
本第５の実施形態によれば、複数の画像形成装置の各々が能力に応じた操作順情報を記憶することで、装置の能力によって操作順が異なる場合でも、複数の設定項目が適切な表示順で並べて表示される。
【０１２２】
以上、実施形態として情報処理装置の一例として画像形成装置を例示して説明した。情報処理装置は、画像形成装置に限定されるものではない。実施形態は、情報処理装置が備える各部の機能をコンピュータに実行させるためのプログラムの形態としてもよい。実施形態は、このプログラムを記憶したコンピュータが読み取り可能な記憶媒体の形態としてもよい。
【０１２３】
その他、上記実施形態で説明した画像形成装置の構成は、一例であり、主旨を逸脱しない範囲内において状況に応じて変更してもよい。
【０１２４】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１２５】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１２６】
１０、１０Ａ〜１０Ｃ 画像形成装置
１２   制御部
１２Ａ ＣＰＵ
１２Ｂ ＲＯＭ
１２Ｃ ＲＡＭ
１２Ｄ Ｉ／Ｏ
１４   記憶部
１４Ａ 提供処理プログラム
１４Ｂ 設定テーブル
１４Ｃ 操作順テーブル
１４Ｄ 頻度テーブル
１４Ｅ 表示順除外項目テーブル
１６   表示部
１８   操作部
２０   画像形成部
２２   原稿読取部
２４   通信部
４０   端末装置
４２   ＣＰＵ
４４   メモリ
４６   操作部
４８   表示部
５０   記憶部
５０Ａ アプリケーションプログラム
５２   通信部
６０   サーバ装置
７０   メニュー画面
７０Ａ コピー設定ボタン
７０Ｂ プリント設定ボタン
７０Ｃ ＦＡＸ設定ボタン
７０Ｄ メール設定ボタン
７２Ａ〜７２Ｃ  設定項目リスト画面
７３   設定終了ボタン
７４   カラーモード
７５   処理終了ボタン
７６   原稿の種類
７８   わく消し
８０   カラーモード設定画面
８０Ａ 白黒ボタン
８０Ｂ フルカラーボタン
８０Ｃ 終了ボタン
８０Ｄ キャンセルボタン
８２   両面
【図１】
2018047658.tif 000004
【図２】
2018047658.tif 000005
【図３】
2018047658.tif 000006
【図４】
2018047658.tif 000007
【図５】
2018047658.tif 000008
【図６】
2018047658.tif 000009
【図７】
2018047658.tif 000010
【図８】
2018047658.tif 000011
【図９】
2018047658.tif 000012
【図１０】
2018047658.tif 000013
【図１１】
2018047658.tif 000014
【図１２】
2018047658.tif 000015
【図１３】
2018047658.tif 000016
【図１４】
2018047658.tif 000017
【図１５】
2018047658.tif 000018
【図１６】
2018047658.tif 000019
【図１７】
2018047658.tif 000020
【図１８】
2018047658.tif 000021
【図１９】
2018047658.tif 000022